【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
焦点調節制御のための第１の信号を出力する焦点調節手段と、
ＡＦ用信号の特性に関する第１の情報と、予め定められた記録用信号の特性に関する第２の情報とを取得する第１の取得手段と、
撮影光学系の収差に関連する第３の情報を取得する第２の取得手段と、
前記第１の情報と、前記第２の情報と、前記第３の情報とに基づいて補正値を演算する演算手段とを有し、
前記演算手段は、前記補正値を用いて、前記焦点調節手段から出力された前記第１の信号を焦点調節制御のための第２の信号に変更することを特徴とする焦点調節装置。
【請求項２】
前記第１の情報は、予め定められていることを特徴とする請求項１に記載の焦点調節装置。
【請求項３】
前記第３の情報は、空間周波数ごとの前記撮影光学系の結像位置の情報であることを特徴とする請求項１又は２に記載の焦点調節装置。
【請求項４】
前記第３の情報は、異なる複数の空間周波数に対応するＭＴＦの極大値にそれぞれが対応する複数の結像位置の情報であることを特徴とする請求項１乃至３の何れか一項に記載の焦点調節装置。
【請求項５】
前記第１の情報は、前記ＡＦ用信号の評価空間周波数に関する情報であり、
前記第２の情報は、前記記録用信号の評価空間周波数に関する情報であることを特徴とする請求項１乃至４の何れか一項に記載の焦点調節装置。
【請求項６】
前記演算手段は、被写体の空間周波数ごとの前記撮影光学系の結像位置の情報を用いて前記ＡＦ用信号の評価空間周波数に対応する結像位置を算出した結果と、前記被写体の空間周波数ごとの前記撮影光学系の結像位置の情報を用いて前記記録用信号の評価空間周波数に対応する結像位置を算出した結果とに基づいて、
前記補正値を演算することを特徴とする請求項５に記載の焦点調節装置。
【請求項７】
前記ＡＦ用信号の評価空間周波数、および、前記記録用信号の評価空間周波数は、それぞれ、複数の空間周波数からなり、前記複数の空間周波数ごとの強度に基づいて、前記被写体の空間周波数ごとの前記撮影光学系の結像位置に、空間周波数ごとに、重み付けをして、加算をして算出されることを特徴とする請求項６に記載の焦点調節装置。
【請求項８】
前記第１の情報は、被写体の空間周波数特性（Ｉ）、撮影光学系の撮影光学系の空間周波数特性（Ｏ）、光学ローパスフィルタの空間周波数特性（Ｌ）、第１の読み出しモードによる空間周波数特性（Ｍ１）、撮影画像を鑑賞する際の空間周波数ごとの感度を示す空間周波数特性（Ｄ１）の少なくともいずれか１つに基づくことを特徴とする請求項１乃至７の何れか一項に記載の焦点調節装置。
【請求項９】
前記第２の情報は、被写体の空間周波数特性（Ｉ）、撮影光学系の撮影光学系の空間周波数特性（Ｏ）、光学ローパスフィルタの空間周波数特性（Ｌ）、第２の読み出しモードによる空間周波数特性（Ｍ２）、ＡＦ評価のためのデジタルフィルタの空間周波数特性（Ｄ２）の少なくともいずれか１つに基づくことを特徴とする請求項１乃至８の何れか一項に記載の焦点調節装置。
【請求項１０】
前記第１の情報は、撮像素子の画素の間隔及び前記撮像素子内で行われる加算処理及び前記撮像素子内で行われる間引き処理及び焦点状態を検出するための信号のフィルタ処理の少なくとも１つに応じて変更されることを特徴とする請求項１乃至９の何れか一項に記載の焦点調節装置。
【請求項１１】
前記第２の情報は、撮像素子の画素の間隔及び撮像素子の信号の読み出しモード及び前記記録用信号の加算処理及び前記記録用信号の間引き処理及び前記記録用信号に行われる画像処理内容及び前記記録用信号の画像サイズ及び前記記録用信号の解像度及び前記記録用信号の表示サイズ及び前記記録用信号の鑑賞距離及び前記記録用信号の画像の明るさの少なくとも１つに応じて変更されることを特徴とする請求項１乃至１０の何れか一項に記載の焦点調節装置。
【請求項１２】
前記撮影光学系の収差に関連する第３の情報を記憶する記憶手段を更に有し、
前記第３の情報は、空間周波数ごとの前記撮影光学系の結像位置の情報であることを特徴とする請求項１乃至１１の何れか一項に記載の焦点調節装置。
【請求項１３】
前記第３の情報は、異なる複数の空間周波数に対応するＭＴＦの極大値、にそれぞれが対応する複数の結像位置の情報であることを特徴とする請求項１２に記載の焦点調節装置。
【請求項１４】
前記第１の信号は、デフォーカス量であることを特徴とする請求項１乃至１３の何れか一項に記載の焦点調節装置。
【請求項１５】
焦点調節制御のための第１の信号を出力する焦点調節工程と、
ＡＦ用信号の特性に関する第１の情報と、予め定められた記録用信号の特性に関する第２の情報とを取得する第１の取得工程と、
撮影光学系の収差に関連する第３の情報を取得する第２の取得工程と、
前記第１の情報と、前記第２の情報と、前記第３の情報とに基づいて補正値を演算する演算工程とを有し、
前記演算工程では、前記補正値を用いて、前記焦点調節工程にて出力された前記第１の信号を焦点調節制御のための第２の信号に変更することを特徴とする焦点調節方法。
【請求項１６】
焦点調節制御のための第１の信号を出力する焦点調節手段と、
前記第１の信号の出力のために用いられる信号の生成の際に行なわれる処理に関連する空間周波数に関する第１の情報と、予め定められた記録用信号を生成する際に行なわれる処理に関連する空間周波数に関する第２の情報とを取得する第１の取得手段と、
撮影光学系の収差に関連する第３の情報を取得する第２の取得手段と、
前記第１の情報と、前記第２の情報と、前記第３の情報とに基づいて補正値を演算する演算手段とを有し、
前記演算手段は、前記補正値を用いて、前記焦点調節手段から出力された前記第１の信号を焦点調節制御のための第２の信号に変更することを特徴とする焦点調節装置。
【請求項１７】
焦点調節制御のための第１の信号を出力する焦点調節工程と、
前記第１の信号の出力のために用いられる信号の生成の際に行なわれる処理に関連する空間周波数に関する第１の情報と、予め定められた記録用信号を生成する際に行なわれる処理に関連する空間周波数に関する第２の情報とを取得する第１の取得工程と、
撮影光学系の収差に関連する第３の情報を取得する第２の取得工程と、
前記第１の情報と、前記第２の情報と、前記第３の情報とに基づいて補正値を演算する演算工程とを有し、
前記演算工程では、前記補正値を用いて、前記焦点調節工程により出力された前記第１の信号を焦点調節制御のための第２の信号に変更することを特徴とする焦点調節方法。
【手続補正２】
【補正対象書類名】明細書
【補正対象項目名】発明の名称
【補正方法】変更
【補正の内容】
【発明の名称】焦点調節装置及び焦点調節方法
【手続補正３】
【補正対象書類名】明細書
【補正対象項目名】００１０
【補正方法】変更
【補正の内容】
【００１０】
そこで、上記目的を達成するために、本発明の技術的特徴として、焦点調節制御のための第１の信号を出力する焦点調節工程と、ＡＦ用信号の特性に関する第１の情報と、予め定められた記録用信号の特性に関する第２の情報とを取得する第１の取得工程と、撮影光学系の収差に関連する第３の情報を取得する第２の取得工程と、前記第１の情報と、前記第２の情報と、前記第３の情報とに基づいて補正値を演算する演算工程とを有し、前記演算工程では、前記補正値を用いて、前記焦点調節工程にて出力された前記第１の信号を焦点調節制御のための第２の信号に変更することを特徴とする。また、別の技術的特徴として、焦点調節制御のための第１の信号を出力する焦点調節工程と、前記第１の信号の出力のために用いられる信号の生成の際に行なわれる処理に関連する空間周波数に関する第１の情報と、予め定められた記録用信号を生成する際に行なわれる処理に関連する空間周波数に関する第２の情報とを取得する第１の取得工程と、撮影光学系の収差に関連する第３の情報を取得する第２の取得工程と、前記第１の情報と、前記第２の情報と、前記第３の情報とに基づいて補正値を演算する演算工程とを有し、前記演算工程では、前記補正値を用いて、前記焦点調節工程により出力された前記第１の信号を焦点調節制御のための第２の信号に変更することを特徴とする。
【手続補正４】
【補正対象書類名】明細書
【補正対象項目名】００６３
【補正方法】変更
【補正の内容】
【００６３】
図５Ａで、撮影光学系を通過する光束の最外部をＬで示すと、光束Ｌは、絞りの開口板１０２ａで規制されており、投影像ＥＰ１ａ及びＥＰ１ｂは撮影光学系でケラレがほぼ発生していない。図５Ｂでは、図５Ａの光束Ｌを、ＴＬで示している。
【手続補正５】
【補正対象書類名】明細書
【補正対象項目名】０１６７
【補正方法】変更
【補正の内容】
【０１６７】
一方で、Ｓ１０１で水平方向、もしくは垂直方向の一方向にのみ信頼性が有る場合や、Ｓ１０２で水平方向もしくは垂直方向の一方向のみが選択され場合には、Ｓ１０４に進む。Ｓ１０４で、焦点検出結果の方向選択を行う。信頼性のある焦点検出結果を算出した方向や、遠近競合判定で、より至近側にある被写体に対応した焦点検出結果を算出した方向を選択する。
【手続補正６】
【補正対象書類名】明細書
【補正対象項目名】０１７３
【補正方法】変更
【補正の内容】
【０１７３】
Ｓ１０６では、縦横ＢＰ補正情報として図９の１要素であるＢＰ１＿Ｂを取得している。